(57)【要約】【課題】電子番組表を利用するユーザの好みに合わせた情報のうち推薦度の高い情報を、電子番組表あるいは電子番組リスト内に優先的に番組表データと同時表示できるようにする。【解決手段】放送や通信回線を介して得られた電子番組表の情報を表示する（９２）。この電子番組表のユーザ利用状況（９３、９４、９５）をその利用時間帯の情報を含めて把握する（９６）。このユーザ利用状況に応じたコンテンツ情報を収集する（９７）。このコンテンツ情報を電子番組表の情報とともに表示する（９９）。ここで、ユーザの視聴頻度の高い時間帯を中心に、ユーザの好みやコンテンツ情報の提供元が意図する推薦度に応じて、コンテンツ情報を収集する処理（９７）が行われる。【選択図】      図９
2007096605.tif 000002
【特許請求の範囲】
【請求項１】
放送および／または通信回線を介して得られた電子番組表の情報を表示し、
前記電子番組表のユーザ利用状況を、その利用時間帯の情報を含めて把握し、
前記ユーザ利用状況に応じたコンテンツ情報を収集し、
前記コンテンツ情報を前記電子番組表の情報とともに表示する、
電子番組表を用いた情報表示方法。
【請求項２】
ユーザの視聴頻度の高い時間帯を中心に、ユーザの好みおよび／または前記コンテンツ情報の提供元が意図する推薦度に応じて、前記コンテンツ情報を収集する処理が行われるように構成された請求項１に記載の方法。
【請求項３】
前記電子番組表はその表示内容に対応する日時情報を含み、
前記コンテンツ情報を前記電子番組表の情報とともに表示する処理が、前記電子番組表に含まれる日時情報に連動するように構成された請求項１または請求項２に記載の方法。
【請求項４】
前記電子番組表は放送時間帯と放送番組との対応関係を含み、前記放送時間帯には日々のうち特定時間帯に重要度を与える重み付けがなされ、相対的に重み付けの大きい時間帯は前記ユーザ利用状況を高く評価するように構成された請求項１ないし請求項３のいずれか１項に記載の方法。
【請求項５】
前記電子番組表は放送時間帯と放送番組との対応関係を含み、ユーザが録画予約あるいは視聴予約した放送番組が属する前記放送時間帯には、予約方法が反復性をもつものか単発かに応じて、重要度を高める重み付けの加算がなされ、相対的に重み付けの大きい時間帯は前記ユーザ利用状況を高く評価するように構成された請求項１ないし請求項４のいずれか１項に記載の方法。
【請求項６】
前記コンテンツ情報の提供元の推薦度として高い推薦度と相対的に低い推薦度がある場合において、前記ユーザ利用状況が高く評価された前記放送時間帯の前記電子番組表の表示では、前記高い推薦度のコンテンツ情報が前記電子番組表に表示されるように構成された請求項４または請求項５に記載の方法。
【請求項７】
前記電子番組表は放送時間帯と放送チャネルと放送番組との対応関係を含み、ユーザがどの放送時間帯のどの放送チャネルのどの放送番組を録画または視聴したのか、あるいはどんなプログラムソースを再生または視聴したのかという内容を含めて、前記ユーザ利用状況の情報を蓄積し、
蓄積した前記ユーザ利用状況の情報に対応する前記コンテンツ情報を収集し、
前記コンテンツ情報の少なくとも一部が前記電子番組表の情報とともに表示されるように構成された請求項１ないし請求項６のいずれか１項に記載の方法。
【請求項８】
前記電子番組表の情報とともに表示される前記コンテンツ情報の少なくとも一部の内容が、前記電子番組表に表示されている放送番組名あるいはプログラム名のうち、前記少なくとも一部の内容に関連するものの近傍に表示されるように構成された請求項７に記載の方法。
【請求項９】
前記電子番組表の情報とともに表示される前記コンテンツ情報が、前記電子番組表に表示されている内容に関係する頒布対象のユーザ申し込みを受け付ける部分を含むように構成された請求項１ないし請求項８のいずれか１項に記載の方法。
【請求項１０】
放送および／または通信回線を介して得られた電子番組表の情報を表示する処理を行なう手段と、
前記電子番組表の情報に対応した放送番組あるいはプログラムを録画する処理を行なう手段と、
前記電子番組表のユーザ利用状況を、その利用時間帯の情報を含めて把握する処理を行なう手段と、
前記ユーザ利用状況に応じたコンテンツ情報を収集する処理を行なう手段と、
前記コンテンツ情報を前記電子番組表の情報とともに表示する処理を行なう手段とを備えた録画装置。
【請求項１１】
放送および／または通信回線を介して得られた電子情報を表示する処理を行なう手段と、
映像プログラムが記録された情報記憶媒体を再生する処理を行なう手段と、
前記電子情報のユーザ利用状況を、その利用時間帯の情報を含めて把握する処理を行なう手段と、
前記ユーザ利用状況に応じたコンテンツ情報を収集する処理を行なう手段と、
前記コンテンツ情報を前記電子情報とともに表示する処理を行なう手段とを備えた再生装置。
【請求項１２】
放送および／または通信回線を介して得られた電子番組表の情報を表示する処理を行なう手段と、
放送を受信するチューナと、
前記表示する処理を行なう手段により処理された情報の映像および／または前記チューナにより受信された放送の映像を画面表示するモニタと、
前記電子番組表のユーザ利用状況を、その利用時間帯の情報を含めて把握する処理を行なう手段と、
前記ユーザ利用状況に応じたコンテンツ情報を収集する処理を行なう手段と、
前記コンテンツ情報を前記電子番組表の情報とともに前記モニタで表示する処理を行なう手段とを備えた映像受信装置。
【発明の詳細な説明】
【技術分野】
【０００１】
この発明は、電子番組表を用いた情報表示方法およびその装置に関する。
【背景技術】
【０００２】
近年、ＤＶＤに代表されるデジタルビデオレコーダが旧来のアナログビデオカセットレコーダに代わって広く普及してきている。このようなデジタルビデオレコーダでは、ＴＶ放送の番組視聴や番組録画に電子番組表あるいは電子番組ガイド（ＥＰＧ：Electronic Program Guide；あるいはＤＥＰＧ：Dynamic Electronic Program Guide）を利用できるようになっている。
【０００３】
ところで、ＥＰＧには、放送番組の表示以外にも利用方法が考えられており、その一例としてＥＰＧを用いた広告の提供方法がある（特許文献１あるいは特許文献２参照）。
【０００４】
特許文献１は、ＥＰＧにおいて利用者毎に適切な広告を提供する方法を開示しており、ＴＶ番組、ＴＶチャネル、またはＥＰＧとの対話などをモニタし、利用者の関心事に関する情報を収集して、その関心事に対応した広告を番組表と同時に表示させ、かつ広告製品および広告サービスを注文できるようにしている。また、特許文献２は、電子番組ガイドの番組表に対して水平関係または垂直関係に広告を同時表示させ、広告を選択することにより商品およびサービスを注文できるようにしている。
【特許文献１】特開２００４−００７８５０
【特許文献２】特開２００４−１９４３４４
【発明の開示】
【発明が解決しようとする課題】
【０００５】
特許文献１あるいは特許文献２に開示される方法では、利用者（ユーザ）に対して提供する情報（広告等）の推薦度等に対する配慮が十分とはいえず、改善の余地がある。すなわち、番組ガイドにユーザの興味がある広告を表示し、それを注文する仕掛けについては開示があるが、複数の広告に対する重要度とそれを表示する時間帯との関連（意味）付け、あるいは番組表の中に広告を入れ込む手法等については、改善の余地がある。
【０００６】
この発明は上記事情に鑑みなされたもので、その課題の１つは、電子番組表を利用するユーザの好みに合わせた情報のうち推薦度の高い情報等を膨大な情報の中から抽出して、電子番組表あるいは電子番組リスト内に優先的に番組表データと同時表示できるシステムを提供することである。
【課題を解決するための手段】
【０００７】
この発明の一実施の形態に係る情報表示方法では、放送および／または通信回線を介して得られた電子番組表の情報（図４のＥＰＧＩ）が表示される（図９の９２）。この電子番組表のユーザ利用状況（図９の９３、９４、９５）が、利用時間帯の情報（どの時間帯に属するか等）を含めて把握される（図９の９６）。そして、前記ユーザ利用状況に応じたコンテンツ情報が収集され（図９の９７）、前記コンテンツ情報（ＣＩ）が前記電子番組表の情報（ＥＰＧＩ）とともに表示される（図９の９９）。
【０００８】
ここ（９７）では、ユーザの視聴頻度の高い時間帯を中心に、ユーザの好みおよび／または前記コンテンツ情報の提供元が意図する推薦度に応じて、前記コンテンツ情報を収集する処理（９７）を行なうことができる。
【発明の効果】
【０００９】
視聴頻度の高い時間帯を中心に、ユーザの好みと情報提供元の推薦度に応じて、推薦度の高い情報を優先的に電子番組表と同時表示できる環境が得られる。
【発明を実施するための最良の形態】
【００１０】
以下、図面を参照してこの発明の実施の形態を説明する。まずこの発明が適用された記録再生装置の概要を図１に示して説明する。図１では、記録媒体（あるいは情報記憶媒体）としてＤＶＤ−ＲＡＭ、ＤＶＤ±ＲＷ、ＤＶＤ±Ｒ、ＤＶＤ−ＲＯＭ（ＤＶＤビデオ）、ＣＤ−ＲＷ、ＣＤ−Ｒ、ＣＤ−ＲＯＭ（音楽ＣＤ）などの光ディスクとハードディスクの双方を取り扱うことができる装置として示しているが、これらのハードディスクや光ディスクは、半導体メモリ等の他の記録媒体と置換（あるいは併用）されてもよい。
【００１１】
図１の構成において、各ブロックを大きく分けると、左側は記録系の主なブロック構成を示し、右側は再生系の主なブロック構成を示している。図１の記録再生装置は、ディスクドライブ部１００２と、ハードディスクドライブ部２００１の２種類のディスクドライブ部を有する。ディスクドライブ部１００２は、ビデオファイルを構築できる第１のメディアとしての光ディスク１００１を回転駆動し、情報の読み書きを実行する。ディスクドライブ部１００２は、光ディスク１００１に対する回転制御系、レーザ駆動系、光学系などを有する。また、ハードディスクドライブ部２００１は、第２のメディアとしてのハードディスクを駆動する。
【００１２】
データプロセッサ部１００３は、ディスクドライブ部１００２及びハードディスクドライブ部２００１に記録データを供給することができ、また、再生された信号を受け取ることができる。データプロセッサ部１００３は、記録または再生単位のデータを取り扱うもので、バッファ回路、変調・復調回路、エラー訂正部などを含む。
【００１３】
また図１の記録再生装置は、録画側を構成するエンコーダ部５０と、再生側を構成するデコーダ部６０と、装置本体の動作を制御するマイクロコンピュータブロック３０を主たる構成要素として具備している。エンコーダ部５０は、トランスポートストリーム処理部及び複数のＭＰＥＧエンコーダを含む。
【００１４】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、字幕や絵柄をビットマップデータで表す副映像のエンコーダも適宜含むことができる。
【００１５】
エンコーダ部５０からのエンコード出力は、バッファメモリを含むフォーマッタ５１にて所定のＤＶＤ-ＲＡＭのフォーマットに変換され（デジタル放送のトランスポートストリーム（ＭＰＥＧ２−ＴＳ）をストリーム記録する場合はフォーマット変換なし）、先のデータプロセッサ部１００３に供給される。なおトランスポートストリームから抽出したパケットエレメンタリーストリームがエンコーダ部５０から直接ハードディスクドライブ部２００１のハードディスクに記録される場合もある。
【００１６】
エンコーダ部５０には、スイッチ（信号セレクタ）５３を介して、ＡＶ入力部４１ａからの外部アナログビデオ信号と外部アナログオーディオ信号を入力することができる。また、エンコーダ部５０には、地上波アナログチューナ４１ｂ、地上波デジタルチューナ４１ｃ、衛星ＢＳ／ＣＳチューナ４１ｄ、衛星アナログチューナ４１ｅからの受信信号（１つまたは複数）を選択的に入力することができる。
【００１７】
ここで、エンコーダ部５０が例えば２つのＭＰＥＧエンコーダを含む場合、地上波アナログチューナ４１ｂで受信した番組をハードディスクドライブ部２００１でＤＶＤ−ＶＲ録画し、同時に、衛星アナログチューナ４１ｅで受信した番組をハードディスクドライブ部２００１または光ディスク１００１でＤＶＤ−ＶＲ録画することが可能である。また、エンコーダ部５０が１つのＭＰＥＧエンコーダしか持たない場合でも、地上波デジタルチューナ４１ｃで受信した番組（ＭＰＥＧ２−ＴＳ）をハードディスクドライブ部２００１でストリーム記録し、同時に、地上波アナログチューナ４１ｂで受信した番組をハードディスクドライブ部２００１または光ディスク１００１でＤＶＤ−ＶＲ録画しつつ視聴することも可能である。
【００１８】
なお、エンコーダ部５０は、圧縮された（エンコード済みの）デジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオミキシング部７１やオーディオセレクタ７６に直接供給することもできる。
【００１９】
エンコーダ部５０に含まれるＭＰＥＧビデオエンコーダでは、デジタルビデオ信号はＭＰＥＧ２またはＭＰＥＧ１規格に基づいた可変ビットレートで圧縮されて、ハードディスクでまたは光ディスクに記録するデジタルビデオ信号へ変換される。デジタルオーディオ信号は、ＭＰＥＧまたはＡＣ−３規格に基づいて固定ビットレートで圧縮されたデジタルオーディオ信号、あるいは非圧縮のリニアＰＣＭのデジタルオーディオ信号に変換される。
【００２０】
副映像信号がＡＶ入力部４１ａから入力された場合（例えば副映像信号の独立出力端子付ＤＶＤビデオプレーヤからの信号入力など）、あるいはこのようなデータ構成のＤＶＤビデオ信号が放送されてそれがＴＶチューナ部４２で受信された場合は、ＤＶＤビデオ信号中の副映像信号が副映像エンコーダでエンコード（ＤＶＤ規格に基づくランレングス符号化）されて副映像のビットマップデータとなる。
【００２１】
エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤビデオ規格で規定されたフォーマット（ＤＶＤ−Ｖｉｄｅｏフォーマット）や、ＤＶＤ-レコーディング規格で規定されたフォーマット（ＤＶＤ−ＶＲフォーマット）に変換される。フォーマッタ５１は、上記の変換処理のとき、バッファメモリ５２をワークエリアとして利用している。
【００２２】
図１の装置は、フォーマッタ５１でフォーマット化された情報（ビデオ、オーディオ、副映像データなどのパック）及び作成された管理情報を、データプロセッサ部１００３を介してハードディスクドライブ部２００１および／またはデータディスクドライブ部１００２に供給し、ハードディスクあるいは光ディスク１００１に記録することができる。またハードディスクあるいは光ディスク１００１に記録された情報を、データプロセッサ部１００３、ディスクドライブ部１００２を介して、光ディスク１００１あるいはハードディスクに記録することもできる。
【００２３】
またハードディスクあるいは光ディスク１００１に記録されている複数番組のビデオオブジェクトを、一部削除したり、異なる番組のオブジェクトをつなげたり、といった編集処理を行うこともできる。
【００２４】
マイクロコンピュータブロック３０は、ＭＰＵ（マイクロプロセッシングユニット）、またはＣＰＵ（セントラルプロセッシングユニット）、制御プログラム等が書きこまれたＲＯＭ、プログラム実行に必要なワークエリアを提供するためのＲＡＭ等を含んでいる。マイクロコンピュータブロック３０は、地上波アナログ放送の電子番組サービス（東京地区ではＡＤＡＭＳ：TV-Asahi Data and Multimedia Service）あるいは地上波／衛星デジタル放送の電子番組ガイド（ＥＰＧ）から、電子番組表の情報（放送番組だけでなく種々な情報サービスも含む）を取り込むことができる。また、マイクロコンピュータブロック３０は、ネットワークインターフェース３０ａを介して外部ネットワークＮＴに接続することが可能である。これにより、外部のサーバ（後述する図８または図９のＢ）から電子番組案内情報（ＤＥＰＧ）を取り込むことも可能である。
【００２５】
さらに、マイクロコンピュータブロック３０のＭＰＵは、そのＲＯＭに格納された制御プログラム（ファームウエア）に従い、ＲＡＭをワークエリアとして用いて、欠陥場所検出、未記録領域検出、録画情報記録位置設定、ＵＤＦ記録、ＡＶアドレス設定などを実行する。またマイクロコンピュータブロック３０は、装置の各ブロックを統括して制御するために必要な情報処理部を有するもので、ワークＲＡＭ３１、ディレクトリ検出部３２、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。またマイクロコンピュータブロック３０は、録画を実行する際の管理情報の制御部３４と、編集を実行する際の管理情報の制御部３３をも備える。
【００２６】
さらに、マイクロコンピュータブロック３０には、シリーズ番組予約・録画制御部３５、ＧＵＩ（グラフィックユーザインターフェース）画面制御部３６が設けられている。このシリーズ番組予約・録画制御部３５、ＧＵＩ画面制御部（ＥＰＧ処理部および購入処理部等も含まれる）３６の動作については、後述する。
【００２７】
マイクロコンピュータブロック３０のＭＰＵの実行結果のうち、ユーザに通知すべき内容は、映像データ記録再生装置の表示部４３に表示されるか、またはモニターディスプレイ３００１にＯＳＤ（オンスクリーンディスプレイ）表示される。
【００２８】
またマイクロコンピュータブロック３０は、この装置を操作するための操作信号を与えるキー入力部４４を有する。このキー入力部４４は、例えば記録再生装置の本体上に設けた操作スイッチ類や、あるいはリモートコントローラなどが相当する。また、記録再生装置と有線通信あるいは無線通信あるいは光通信もしくは赤外線通信などの手段を用いて接続されたパーソナルコンピュータを、図１の装置の操作に利用することも可能である。いずれの形態であるにせよ、ユーザがこのキー入力部４４を操作することにより、受信もしくは入力された映像音声信号の録画処理、録画されたコンテンツや光ディスクの再生処理、あるいは録画されたコンテンツに対する編集処理などを施すことができる。
【００２９】
なお、マイクロコンピュータブロック３０が、ディスクドライブ部１００２、ハードディスクドライブ部２００１、データプロセッサ部１００３、エンコーダ部５０及び／またはデコーダ部６０などを制御するタイミングは、ＳＴＣ（システムタイムクロック）３８からの時間データに基づいて実行することができる。録画や再生の動作は、通常はＳＴＣ３８からのタイムクロックに同期して実行されるが、それ以外の処理はＳＴＣ３８とは独立したタイミングで実行されてもよい。
【００３０】
デコーダ部６０は、図示しないが、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードする副映像デコーダと、セパレータで分離されたオーディオデータ（オーディオパックの内容）をデコードするＡデコーダとを有する。デコーダ部６０はまた、デコードされた主映像にデコードされた副映像を適宜合成し、主映像にメニュー、ハイライトボタン、字幕やその他の副映像を重ねて出力するビデオプロセッサを備えている。
【００３１】
デコーダ部６０の出力ビデオ信号は、ビデオミキシング部７１に入力される。ビデオミキシング部７１では、例えばテキストデータの合成が行われる。またビデオミキシング部７１には、ＴＶチューナやＡＶ入力部４１aからの信号を直接取り込むラインもまた接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００３２】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナ４１ｂ〜４１ｅやＡＶ入力部４１aからのデジタル信号を直接モニタする時、エンコーダ部５０をスルーした信号を直接選択することも可能である。
【００３３】
なお、エンコーダ部５０のフォーマッタ５１では、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００３４】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００３５】
また本装置では、ＤＶＤに記録するビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００３６】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部２００１に供給している。またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部１００３を介してディスクに設定している。
【００３７】
図１の装置の記録系は、放送および／または通信回線を介して得られた電子番組表の情報を表示する処理を行なう手段（３６）と、前記電子番組表の情報に対応した放送番組あるいはプログラムを録画する処理を行なう手段（５０〜５１、１００１〜１００３、２００１）と、前記電子番組表のユーザ利用状況を、その利用時間帯の情報を含めて把握する処理を行なう手段（３７）と、前記ユーザ利用状況に応じたコンテンツ情報を収集する処理を行なう手段（３７）と、前記コンテンツ情報（ＣＩ）を前記電子番組表の情報（ＥＰＧＩ）とともに表示する処理を行なう手段（３６）とを備えている。
【００３８】
また、図１の装置の再生系は、放送および／または通信回線を介して得られた電子情報を表示する処理を行なう手段（３６）と、映像プログラムが記録された情報記憶媒体（１００１または２００１）を再生する処理を行なう手段（１００１〜１００３、６０〜７７）と、前記電子情報のユーザ利用状況を、その利用時間帯の情報を含めて把握する処理を行なう手段（３７）と、前記ユーザ利用状況に応じたコンテンツ情報を収集する処理を行なう手段（３７）と、前記コンテンツ情報（ＣＩ）を前記電子情報（ＥＰＧＩ）とともに表示する処理を行なう手段（３６）とを備えている。
【００３９】
さらに、視点を変えると、図１の装置の主要部を含むデジタルＴＶ等の映像受信装置は、放送および／または通信回線を介して得られた電子番組表の情報を表示する処理を行なう手段（３６）と、放送を受信するチューナ（４１ｂ〜４１ｅ）と、前記表示する処理を行なう手段（３６）により処理された情報の映像および／または前記チューナにより受信された放送の映像を画面表示するモニタ（３００１）と、前記電子番組表のユーザ利用状況を、その利用時間帯の情報を含めて把握する処理を行なう手段（３７）と、前記ユーザ利用状況に応じたコンテンツ情報を収集する処理を行なう手段（３７）と、前記コンテンツ情報（ＣＩ）を前記電子番組表の情報（ＥＰＧＩ）とともに前記モニタ（３００１）で表示する処理を行なう手段（３６）とを備えて構成することができる。
【００４０】
図２は、リモートコントローラ２０の概観を例示している。主な操作キーを説明する。２０ａは、電源をオンオフするための電源キーであり、２０ｂは、番組ナビを起動する番組ナビキーである。（２０ｂはトップメニュー画面を表示させるためのトップメニューキーとして用いられてもよい。）メニューキー２０ｃは、例えばＤＶＤなどの媒体に記録されているメニューを表示させときに操作する操作キーである。２０ＤＥは、決定キーであり、２０ＵＰ、２０ＤＷ、２０Ｒ、２０Ｌは、カーソルをそれぞれ上、下、右、左に移動させるためのカーソル操作キーである。
【００４１】
次に図１の装置における電子番組表の表示を用いた操作に関する、特徴的な構成及び動作について説明する。番組ナビキー（トップメニューキー）２０ｂが操作されると、画面制御部３６の制御の元で、図３に示すようなメインメニュー（案内画面）がモニタ３００１に表示される。図３のメインメニューには、項目として「番組表」、「録画予約一覧」、「Ｍｙジャンル番組リスト」、「おすすめサービス」、「お気に入り番組リスト」、「シリーズ番組リスト」などが表示される。図３のメインメニューにおいて、リモートコントローラ２０のカーソルキーを操作して、例えば、「番組表」を選択し、決定キー２０ＤＥを押すと、図４に示すような画面表示に切り替わる。
【００４２】
図４は、図３のメインメニューから移行できる番組表の表示例を説明する図である。図４の番組表画面では、放送および／または通信回線を介して得られた電子番組表の情報ＥＰＧＩ、その表示内容に対応する日時情報ＤＩ、この番組表を利用するユーザの利用状況に応じて用意できるコンテンツ情報ＣＩ等が表示される。この表示例では、例えば２００５年１０月２２日の午前９時〜１２時の放送時間帯（ＤＩ対応）において、５局分のＴＶ放送番組（ＥＰＧＩ対応）が例示され、また関連する販売商品／レンタル商品の広告（ＣＩ対応）が、同一画面に表示されている。
【００４３】
この画面をみたユーザは、例えば１０月２２日１０時から放送予定の旧作映画「ムーン・ウォーズエピソード２」を録画予約するつもりでいたところ、同じ画面に後続作映画「ムーン・ウォーズエピソード３」のＤＶＤ販売広告が出ていたので、そのＤＶＤビデオディスクを買ってみようかという気持ちになり得る。そうなれば、同じ画面からインターネットショップで同ＤＶＤディスク購入を申し込むか、近くのビデオショップへ出かけて同ＤＶＤディスクを購入することができる。ついでに、別の話題作「ハウルの動く家」のレンタル開始の広告も目に入るので、そのレンタルソフトも見てみようかという気持ちになることが期待できる。
【００４４】
この場合、２００５年１０月２２日の午前９時〜１２時の放送時間帯にどの放送局でどんな番組が放送されるか予め知らされているコンテンツプロバイダや商品販売業者等は、その時間帯に放映される番組に興味を示すユーザなら関心を示す可能性が高いであろう別の商品および／またはソフトウエア（ビデオ／音楽プログラム）の広告等を、コンテンツ情報ＣＩの一部として、同じ番組表画面に表示させるよう、電子番組表の作成者（広告代理店が関係する業界関係会社等）に申し込むことができる。このようにすれば、ランダムに（へたな鉄砲も数うちゃ当たる式の考えで）繰り返しコマーシャル映像を放送するよりも、効率よく宣伝効果の高い広告が可能となる。
【００４５】
図５は、図３のメインメニューから移行できる番組リストの表示例を説明する図である。この図は、メインメニューのキーワード設定で例えばロック歌手「プティング」を特定キーワードとして入力したときに得られる、番組リスト（プティングに関連したおすすめリスト）を例示している。ここでは、「プティング」を特定キーワードとして得られたおすすめ番組および広告として、図示のような内容を例示している。すなわち、プティングが出演するドキュメント番組として「プティング・ザ・ドキュメント２００５」が放送局およびその放送時間帯とともに表示され、プティングがリーダを努めていた伝説のロックグループ「パリス」とプティング自身のヒット曲を網羅した「ザ・ベスト・イヤーズ」の広告がそのＤＶＤソフトのレンタル開始日時およびレンタル料金とともに表示されている。
【００４６】
その他、このおすすめリストには、「パリス」のコンサートビデオ「シングル・コンサート」の広告がそのＤＶＤソフトの有料ダウンロード開始日時とともに表示され、プティングがパリス解散後に行った「バースディ・コンサート」の広告がそのＤＶＤソフトの販売開始日時とともに表示されている。ユーザは、例えば「パリスとプティングのザ・ベスト・イヤーズ」を見てみたいと考えれば、図５の画面からそのレンタルを申し込むか、近所のレンタルショップへレンタル開始日に出向くことができる（この発明の一実施の形態によるビジネスモデルの一例）。
【００４７】
図６は、図４あるいは図５の表示から移行できるソフト購入画面の表示例を説明する図である。例えば番組ナビ（図４の電子番組表の全サービス画面、あるいは図５のおすすめリスト等）が「プティング」のビデオクリップのＤＶＤ販売広告を含んでいた場合、その広告部分に図２のリモートコントローラ操作でカーソルを移動させ決定ボタンを押すと、図６のプティング購入案内画面６００が表示される。あるいは、番組ナビが「ＢＡＡＢ」の音楽ビデオのＤＶＤ販売広告を含んでいた場合、その広告部分にリモートコントローラ操作でカーソルを移動させ決定ボタンを押すと、図６のＢＡＡＢ購入案内画面６１０が表示される。
【００４８】
「プティング」あるいは「ＢＡＡＢ」の他のタイトル情報をユーザが知りたいと欲したときは、リモートコントローラのカーソル操作で関連タイトルを検索し表示させることができる。ユーザは、表示されたタイトルのＤＶＤを購入したいときは、例えば図６のプティング購入案内画面６００から購入アイコンをリモートコントローラ操作で選択し、決定を押す。すると、例えばその販売業者から、料金着払いの宅配便で「プティング」のビデオクリップのＤＶＤがユーザ宅へ届けられるようにできる（この発明の一実施の形態によるビジネスモデルの他例）。
【００４９】
図７は、図４あるいは図４の表示から移行できる映画鑑賞券購入画面の表示例を説明する図である。例えば図４の番組ナビの広告から「ハウルの動く家」を知徳したユーザが、家庭のビデオで見るより映画館で見たいと欲した場合、（適宜、その映画を興行している映画館の検索をしてから）その映画鑑賞券を、ユーザ手元の画面から、購入することができる（この発明の一実施の形態によるビジネスモデルのさらに他の例）。
【００５０】
図８は、この発明の一実施の形態に係る記録再生方法が適用されるシステム構成の一例を説明する図である。このシステムでは、インターネット等のネットワークＮＴを介して、サーバＢに、第１のクライアント機器（ＤＶＤレコーダ等）Ａ１および／または第２のクライアント機器（デジタルＴＶ等）Ａ２が適宜接続されるようになっている。サーバＢは、番組表（ＥＰＧ）の提供、コンテンツ情報（ＣＩ）の提供、クライアントデータの分析等を行なう。また、クライアント機器Ａ１は、その機器の動作（ＣＤ／ＤＶＤ再生装置９４１の動作、ＨＤＤやＤＶＤ−Ｒ／ＲＷ／ＲＡＭ等の記録メディア１２０１への記録、ＧＵＩ表示システム（モニタ）９９１での表示を介したユーザ操作等）の情報を蓄積したり、サーバＢからの情報を蓄積するデータ蓄積部（データベース）９１１を備えている。さらに、クライアント機器Ａ２は、その機器の動作（ＴＶチューナおよび映像処理部９４２の動作、ＨＤＤやＤＶＤ−Ｒ／ＲＷ／ＲＡＭ等の記録メディア１２０２への記録、ＧＵＩ表示システム（モニタ）９９２での表示を介したユーザ操作等）の情報を蓄積したり、サーバＢからの情報を蓄積するデータ蓄積部（データベース）９１２を備えている。
【００５１】
図８のシステム構成において、クライアント機器（Ａ１／Ａ２）側は、以下の機能を持つことができるように構成される：
・放送以外のコンテンツやサービス情報を統合的に表示し、番組表、番組リスト、番組検索の動作機能と表示インタフェースの機能を持つ；
・ユーザ設定やサーバ側設定（ユーザがサーバ設定も可能）で、特定のコンテンツやサービスの表示・非表示、表示順番、表示情報量、表示内容を指定できる機能を持つ；
・ユーザの好みを蓄積するデータベースを持つ；
・録画予約、予約の実行、録画内容の再生実行、録画内容の削除、録画内容の可搬メディア（ＤＶＤ−Ｒ／ＲＷ／ＲＡＭ等）への保存、ライブラリ（メタデータ）情報の管理、ＣＤ／ＤＶＤなどの可搬メディアの再生、さらにはコンテンツやサービスの購入履歴情報、情報の検索、自動検索用キーワードなどの蓄積および／またはサーバ送信できる機能を持つ；
・サーバから、（コンテンツプロバイダや商品販売業者等が）推薦する情報および／またはユーザが必要とする情報を、自動的または手動で取得できる機能を持つ。
【００５２】
また、図８のシステム構成において、サーバ（Ｂ）側は、以下の機能を持つことができるように構成される：
・クライアントを特定できる機能を持つ；
・クライアント情報を蓄積できる機能を持つ；
・番組表システム用の番組データを蓄積、送信できる機能を持つ；
・番組データ以外の各種コンテンツデータを収集・蓄積できる機能を持つ；
・蓄積したクライアント情報と各種コンテンツ情報を分析し、関係づけ、おすすめ度を付加し、クライアントに配信できる機能を持つ；
・クライアントからの、コンテンツ購入やレンタル申込などに対応可能な機能を持つ；
・課金システムを有する。
【００５３】
図９は、図８のシステム構成の動作例（稼働手順例）を説明する図である。
【００５４】
［動作概要］
＜１＞クライアント機器（Ａ１／Ａ２）側
・サーバＢ側等から番組表データを獲得して蓄積し（９１）、その番組表データから、ユニークなチャンネルコード、日時情報を元に、番組を特定できる録画予約情報を蓄積する（９１〜９３、９６）。蓄積したデータは定期的にサーバに送信する（ｄ）；
・ユーザの視聴したＤＶＤやＣＤなどの市販ソフトのメタデータ（ＣＤＤＢなどのデータサービスを利用して取得した情報）を蓄積する（９４、９６）；
・ユーザ指定の自動検索用のキーワードを蓄積する（９５、９６）；
・継続的・定期的に上記の利用情報をサーバへ送信する（ｄ）；
・機器利用地域、性別、年齢・年代、血液型、星座など、必要に応じて付帯情報をサーバに送信する（ｄ）。
【００５５】
＜２＞サーバ（Ｂ）側
・機器情報と付帯情報からクライアントを特定する；
・クライアントから、アップデートされた録画予約情報、キーワード、ＤＶＤ、ＣＤなどのメタデータにより、ユーザの嗜好を特定する（９７）；
・サーバで収集されたコンテンツ情報、ＤＶＤＢＢなどのコンテンツ情報の中から、クライアントで特定された嗜好により、コンテンツ情報を抽出する。さらに、ユーザの嗜好傾向により、コンテンツ情報に重み度合い(おすすめ度)を付加する。そして、クライアントの利用頻度、録画頻度などにより、時間帯・表示領域を特定した番組表情報の1つとして、コンテンツ情報ＣＩをクライアント機器Ａへ送信する（ｆ）。
【００５６】
＜３＞クライアント機器（Ａ１／Ａ２）側-番組表/番組リストインターフェースによる統合的ユーザインターフェース（ＵＩ）
・送信された番組情報（コンテンツ情報ＣＩを含む）を表示する。その際、全体、ジャンル、コンテンツ種別、特定キーワード、特定テーマに応じて、コンテンツやサービス情報を、番組表形式と、番組リスト形式で表示する（９９）；
・通常の番組表に挟み込むかたちで、以下の多様な要素を一覧表示や絞込み表示もできる（図５等参照）；
・各種要素をサイクル表示；
・表示された各種要素からの直接リンクと、番組リスト形式での複数項目リストへジャンプ；
・ボタン一つで表示モード切換；
・コンテンツ情報を選択することにより、レンタル、購入、ダウンロードなどが行える（図６、図７等参照）。
【００５７】
次に、図９を参照して図８のシステム構成の具体的な動作例（稼働手順例）を説明する。
【００５８】
・クライアントが番組データ（９０）をダウンロード（９１）；
・クライアントが番組表（９２）より、「中島ミカ」出演のＴＶ放送を録画（９３）→データ蓄積（９６）；
・クライアントが、「中島ミカ」をＣＤで再生視聴（９４）→ＣＤＤＢからデータ取得→データ蓄積（９６）；
・クライアントがキーワードに「中島ミカ」を登録（９５）→データ蓄積（９６）；
・蓄積データ（９６）をサーバへ送信（ｄ）；
・サーバがクライアント嗜好を分析し（９７）、「中島ミカ」を抽出；
・コンテンツ情報から、「中島ミカ」に関する情報を収集し、おすすめ度を付加（９７）：
「中島ミカ」コンサートチケット発売  おすすめ度  大
「中島ミカ」ライブDVD購入            おすすめ度  中
「中島ミカ」newアルバム発売情報      おすすめ度  小  
・コンテンツ情報をクライアントへ送信（ｆ）；
・クライアントの番組表で、おすすめ度に応じて、指定の領域へ
“「中島ミカ」コンサートチケット発売”→“「中島ミカ」ライブＤＶＤ購入”→“中島ミカ」newアルバム発売情報”…
の順で表示（９８、９９）；
・クライアントが、リモートコントローラ操作で「ライブＤＶＤ」を選択し、リモートコントローラの決定ボタンを押すと、購入画面（図６、図７等参照）へ遷移する。この購入画面から、ユーザは、お気に入りのソフトウエア（商品）を購入（有料ソフトウエアのダウンロード、または欲しいディスクの購入、もしくは欲しいチケットの購入等）し、あるいはレンタル申込できる（１１１〜１１３；１１０、１２０）。
【００５９】
なお、ここでの購入処理として、クライアント側に図示しないがマイク端子等を付加し、カラオケの曲単位で購入（カラオケボックスと同じデータ）を可能とする処理も採用可能である。
【００６０】
図１０は、図９の例において、おすすめ度処理付のデータ作成処理の具体例を説明するフローチャート図である。ここでは、視聴頻度の高い時間帯を中心に、ユーザの好みや情報提供元の推薦度に応じて、推薦度の高い情報を電子番組表と同時表示するようにしている。
【００６１】
すなわち、ユーザの視聴頻度および／または録画頻度の高い番組内容分析（音楽番組か、ドラマ番組か、アニメ番組か、政治経済番組か等）する（ステップＳＴ９７０）。その分析結果（例えばそのユーザの視聴頻度が高い番組が、若い女性の視聴率が高いと予想される午後９時台放送の恋愛ドラマの場合）から、そのユーザが関心を持つ可能性の高い商品（例えば２０〜３０代の独身女性向け化粧品）に、コンテンツ提供元が、高いおすすめ度を付ける（そのような番組の放送時間帯に大きな重み付けがなされる）（ステップＳＴ９７２）。
【００６２】
例：コンテンツ情報＝若い女性がターゲットの化粧水（提供元一押し商品）
ユーザの視聴頻度の高い時間帯＝午後９時〜１０時のドラマ放送時間帯。
【００６３】
このようにして、ユーザの視聴頻度の高い時間帯を中心に、ユーザの好みおよび／またはコンテンツ情報の提供元が意図する推薦度に応じて、コンテンツ情報を収集する処理（９７）が行われる。
【００６４】
図１１は、図９の例において、電子番組表の表示に伴う日時連動処理の具体例を説明するフローチャート図である。ここでは、表示内容が番組表の日時と連動するようにしている。すなわち、電子番組表の情報からその表示内容に対応する日時情報取得し（ステップＳＴ９９０）、取得した日時を包含する一定期間、所定のコンテンツ情報を電子番組表の情報とともに表示する（ステップＳＴ９９２）。
【００６５】
例：コンテンツ情報＝９月１５日午前１０時発売開始のコンサートチケット
電子番組表    ＝９月８日午前１２時〜９月１５日午前１２時
電子番組表表示＝９月８日午前１２時〜９月１５日午前１２時までの間、集中して、「９月１５日午前１０時発売開始のコンサートチケット」の広告を表示。
【００６６】
つまり、コンサートチケットなど発売日があるものは、発売日の日にちまで、発売時間の前後などをコンテンツ情報により、番組表表示日時と連動させる。
【００６７】
このようにして、電子番組表（図４）はその表示内容に対応する日時情報（ＤＩ）を含み、コンテンツ情報（ＣＩ）を電子番組表の情報（ＥＰＧＩ）とともに表示する処理（９９）が、電子番組表に含まれる日時情報（ＤＩ）に連動するように構成される。
【００６８】
図１２は、図９の例において、電子番組表の時間帯の重要度に連動した処理の具体例を説明するフローチャート図である。ここでは、表示内容が番組表の時間帯の重要度に連動するようにしている。すなわち、日々の放送時間帯を区分けし、区分けされた放送時間帯に応じた重み度ポイントを付与する（ゴールデンタイムは重み度ポイントを高める）（ステップＳＴ９８０）。そして、重み度ポイントの高い放送時間帯における録画／視聴／購入処理等は、ユーザ利用状況を高く評価する（ステップＳＴ９８２）。
【００６９】
例：放送時間帯＝午後７時〜１０時（ゴールデンタイム）は重み度“２”
放送時間帯＝午後７時〜１０時以外は重み度“０”
このようにして、電子番組表（図４）は放送時間帯と放送番組との対応関係を含み、放送時間帯には日々のうち特定時間帯に重要度を与える重み付けがなされ、相対的に重み付けの大きい時間帯はユーザ利用状況を高く評価する（９８）ように構成される。
【００７０】
図１３は、図９の例において、ユーザが録画および／または視聴の予約した番組時間帯の重要度に連動した処理の具体例を説明するフローチャート図である。ここでは、表示内容が、ユーザが録画（予約）あるいは視聴（予約）した時間帯の重要度に連動するようにしている。すなわち、ユーザが録画予約あるいは視聴予約した放送番組が属する放送時間帯には、予約方法が反復性をもつもの（毎週予約）か単発（１回予約）かに応じて、重要度を高める重み度ポイントの加算する（ステップＳＴ９８４）。そして、重み度ポイントの高い放送時間帯における録画予約／視聴予約の処理等は、ユーザ利用状況を高く評価する（ステップＳＴ９８６）。すなわち、番組表の時間帯に重要度を持たせ、その重要度に連動させて、コンテンツを表示する。
【００７１】
具体例１：基本  ゴールデンタイム(19:00-22:00)には他の時間より、重みをつける：
例  20:00-22:00    の時間  重み度  ２
上記以外のその他の時間  重み度  ０
具体例２：ユーザが予約した時間を記憶し、重み度をつける…この時間帯に番組表を良く見るため：
例  18:00-19:00の時間を毎週予約  重み度  ＋２加算
25:00-26:00の時間を単発予約  重み度  ＋１加算
上記具体例１、２の情報から、時間帯別の重み度を集計し、これにより推奨コンテンツの表示を、時間帯別の重み度の高い順に表示する。以下に時間軸を抜粋して、例を説明する。
【００７２】
［時間軸（重み度）］
[18:00〜20:00(2)]  [20:00〜22:00(4)]  [22:00〜24:00(3)]  [24:00 - 26:00(1)]…
ここで、コンテンツの推奨度（おすすめ度）をＡ，Ｂ，Ｃ（Ａが優位）とした場合、以下の表示とすることができる。
【００７３】
［時間軸（重み度）＜推奨度／おすすめ度＞］
[18:00〜20:00(2)＜Ｃ＞]  [20:00〜22:00(4)＜Ａ＞]  [22:00〜24:00(3)＜Ｂ＞]  [24:00 - 26:00(1)]…
上記のように、時間帯による重み付け（２、４、３、…）と、コンテンツの推奨度＜Ｄ，Ａ，Ｂ，…＞により、コンテンツを（商業的成功あるいは産業的発展の見地から）より効率的に番組表内に配置することができる。
【００７４】
このようにして、電子番組表（図４）は放送時間帯と放送番組との対応関係を含み、ユーザが録画予約あるいは視聴予約（９３）した放送番組が属する放送時間帯には、予約方法が反復性をもつもの（毎週予約）か単発（１回予約）かに応じて、重要度を高める与える重み付けの加算がなされる。そして、相対的に重み付けの大きい時間帯はユーザ利用状況を高く評価する（９８）ように構成される。
【００７５】
図１４は、図９の例において、推薦度の高いコンテンツ情報を優先的に電子番組表の画面に表示する処理の具体例を説明するフローチャート図である。ここでは、電子番組表の表示において、推薦度の高いコンテンツ情報の表示が重み付けの大きい時間帯に連動するようにしている。すなわち、ユーザ利用状況が高く評価された放送時間帯の電子番組表表示では、高い推薦度のコンテンツ情報を電子番組表に優先的に表示する（ステップＳＴ９８８）。
【００７６】
例：放送時間帯＝午前１０時〜１２時の映画「ムーン・ウォーズ・エピソード２」が録画予約され、この時間帯が相対的に最も高い重み度値を持つときは、この時間帯を含む電子番組表の表示に、関連新作映画「ムーン・ウォーズ・エピソード３」の広告が（コンテンツプロバイダあるいは販売業者の一押し商品として）表示される。
【００７７】
このようにして、コンテンツ情報の提供元の推薦度として高い推薦度と相対的に低い推薦度がある場合において、ユーザ利用状況が高く評価された放送時間帯の電子番組表（図４）の表示では、高い推薦度のコンテンツ情報が電子番組表（図４）に表示される（９９）ように構成される。
【００７８】
図１５は、図９の例において、ユーザの録画視聴傾向に連動した処理の具体例を説明するフローチャート図である。ここでは、表示内容がユーザの録画視聴傾向に連動するようにしている。すなわち、ユーザがどの放送時間帯のどの放送チャネルのどの放送番組を録画または視聴したのか、あるいはどんなプログラムソースを再生または視聴したのかというユーザの録画視聴傾向のデータを含めて、ユーザの利用状況を蓄積する（ステップＳＴ９６０）。そして、蓄積したユーザ利用状況の情報に対応するコンテンツ情報を収集し、収集したコンテンツ情報の少なくとも一部を電子番組表に表示する（ステップＳＴ９９４）。
【００７９】
例１：図４の電子番組表から「ムーン・ウォーズエピソード２」をユーザが録画予約した場合、以下の情報をユーザ利用状況の情報として毎回蓄積（録画/視聴した内容と頻度の収集）
ジャンル＝映画、洋画
監督＝ジョン・マーカス
キーワード＝ムーンウオーズ、ダースボイダー
例２：図１の装置で「ムーン・ウォーズエピソード１」のＤＶＤビデオをユーザが視聴した場合、以下の情報をユーザ利用状況の情報として毎回蓄積（その際、再生頻度をカウントして再生頻度が高ければ重み付けに利用）
ジャンル＝映画、洋画
監督＝ジョン・マーカス
キーワード＝ムーンウオーズ、アノキン、フォース
例１と例２の情報（ジャンル、監督、キーワード）からコンテンツ情報を検索し、ヒットしたコンテンツを電子番組表（図４の例示参照）に表示する：
・「ムーンウォーズ・エピソード３…ＤＶＤ発売情報」
・「ムーンウォーズ・エピソード４（図４では図示せず）…ＤＶＤレンタル情報」
・「ムーンウォーズのすべて…書籍案内」
・「ムーンウォーズ  サウンドトラック…ＣＤ情報」
上記それぞれから、購入やレンタルが可能となる。
【００８０】
このようにして、電子番組表（図４）は放送時間帯と放送チャネルと放送番組との対応関係を含み、ユーザがどの放送時間帯のどの放送チャネルのどの放送番組を録画または視聴したのか（９３）、あるいはどんなプログラムソース（ＣＤ／ＤＶＤ）を再生または視聴したのか（９４）という内容を含めて、ユーザ利用状況の情報を蓄積する（９６）。そして、蓄積したユーザ利用状況の情報に対応するコンテンツ情報を収集し（９７）、コンテンツ情報（ＣＩ）の少なくとも一部が電子番組表の情報（ＥＰＧＩ）とともに表示される（９９）ように構成される。
【００８１】
図１６は、図９の例において、番組名あるいはプログラム名に連動した処理の具体例を説明するフローチャート図である。ここでは、表示内容が番組名に連動するようにしている。すなわち、放送および／または通信回線等から番組表データ取得する（ステップＳＴ９７４）。そして、取得した番組表データを用いた電子番組表に表示されている放送番組名あるいはプログラム名のうち、所定のコンテンツ情報を、その内容に関連するものの近傍に表示する（ステップＳＴ９７６）。
【００８２】
例：図４の電子番組表で表示されている放送番組名に連動
録画予約された「ムーンウォーズ・エピソード２」の番組表の近辺に、検索でヒットした、コンテンツ（ムーンウォーズ・エピソード３のＤＶＤ発売情報等）を表示する。
【００８３】
このようにして、電子番組表の情報（ＥＰＧＩ）とともに表示されるコンテンツ情報（ＣＩ）の少なくとも一部の内容（例えば「ムーン・ウォーズエピソード３」発売）が、電子番組表に表示されている放送番組名あるいはプログラム名のうち、少なくとも一部の内容に関連するもの（例えば「ムーン・ウォーズエピソード２」）の近傍に表示される（図４）ように構成される。
【００８４】
実際には、図１０〜図１６の説明等で例示した複数条件を加味し、番組表内に表示できる。このサービスは、図１や図８に示すような構成を持つ各機器のユーザ（１人または複数人）毎にユニークとなる（録画嗜好や、時間帯嗜好によるため）。そのため、図４その他の例示でユーザに提示されるサービスは、そのサービス提供の仕組みは共通していても、サービスの中身は全ての機器に共通ではない。
【００８５】
なお、キーワードを収集し、重み度をつけるところまでは図８のクライアント機器側で行い、その情報がサーバに送信されると、サーバ側でコンテンツの検索、推奨度づけなどをした上でクライアント機器側にダウンロードすることができる。
【００８６】
図１７は、図９の例において、電子番組表の画面表示から所望のコンテンツあるいは商品を購入する処理の具体例を説明するフローチャート図である。ここでは、表示内容が購入処理（図９の１１１〜１１３）に連動するようにしている。すなわち、電子番組表に表示されている内容に関係する頒布対象のユーザ申し込みを受け付けるダイアログまたはアイコンを表示する（ステップＳＴ９９４）。そして、ユーザ申し込みを受け付けるダイアログまたはアイコンが選択・決定されたら、対応する頒布対象を頒布するサイト（例えば図９の１１１〜１１３のいずれか）へアクセスする（ステップＳＴ９９６）。
【００８７】
このようにして、電子番組表の情報（ＥＰＧＩ）とともに表示されるコンテンツ情報（ＣＩ）が、電子番組表に表示されている内容（例えば「ムーン・ウォーズエピソード２」）に関係する頒布対象（「ムーン・ウォーズエピソード３」のセル販売されるＤＶＤディスク、「ハウルの動く家」のレンタルされるＤＶＤディスク、「ハウルの動く家」の映画鑑賞券など）のユーザ申し込みを受け付ける部分（図７のダイアログボックス［購入］など）を含むように構成される。
【００８８】
（実施の形態のまとめ１）
01.複数の広告に対する重要度と、それを表示する時間帯とに意味付けを行い、番組表の中に広告を入れ込む；
02.番組表の中に検索サービスで見つけてきたユーザの興味のある広告を表示する；
ただし、表示されている番組名と広告は直接関係しなくてもよい；
03.広告の重要度とそれを表示する時間帯に意味を持たせる；
04.番組の選択で予約登録を広告の選択で購入行為を行う。
【００８９】
（実施の形態のまとめ２）
11.番組表を表示時に、各種の関連情報を目にすることができるようにする(わざわざ検索しなくても良い)；
12.ユーザのキーワード設定の手間は１回で済むようにし、自動検索機能との組み合わせにより、放送のみならず、各種情報について、優先的に表示する対象を絞り込めるようにする；
13.録画予約と同一の手軽な手順で、各種サービスでの購入やレンタル申込などが可能となる。
【００９０】
（実施の形態のまとめ３）
電子番組表を表示できる装置でかつ、録画・コンテンツ保持機能を有し、かつ、サーバ通信機能を有する機器・システムにおいて、
21.電子番組表を利用するユーザの好みに合わせた情報を統合的に表示でき、かつ推薦度が高い情報を膨大なコンテンツ情報の中から番組表または、番組リスト内に優先的に番組表データと同時表示できるシステムを提供する。
【００９１】
22.電子番組表内に表示する番組表以外のコンテンツ、広告、チケット購入などを、時間帯に重みをつけ、番組表の時間帯とは無関係な放送以外のコンテンツ情報を、視聴頻度の高い時間帯を中心に、ユーザの好みと情報提供元の推薦度により電子番組表内に表示する。
【００９２】
その具体的な表示方法としては、次のものがある：
a)番組表の日時と連動；
b)番組表の時間帯に重要度を持たせ、その重要度に連動させる；
（例：録画や視聴の多いゴールデン枠は重要度高い）
c)ユーザの録画視聴傾向に連動させる；
d)番組表で表示されている放送番組名に連動させる；
e)上記a)〜d)の複数条件に連動させて表示。
【００９３】
また、表示については、
・番組表／番組リストの放送チャンネル欄に、放送チャンネル以外の表示（広告主など）を表示することにより、番組表データ以外の情報であることをユーザに認知させる；
・１つの番組枠で、番組データ/それ以外のデータ(例：広告)とが区別できるように、アイコンや表示色や表示文字列等で区別させる；
・録画済み表示に加えて、購入済みや手続き中などの表示も提供する。
【００９４】
23.上記連動の方式を、情報提供元が指定することもできるようにする。また、その連動の方式の指定に応じた広告料金を変化させることができるようにする。
【００９５】
24.電子番組表（マトリクス表示のもの：以下「番組表」）あるいは、番組表データを用いた番組リスト（リスト一覧表示のもの：以下「番組リスト」）に表示されたコンテンツ情報を用いて、市販ＤＶＤ／ＣＤソフトのセル販売、レンタル、ＤＶＤＢＢサービス（ネットワーク上で提供される、映像コンテンツのセル販売、レンタル、視聴契約）などや、コンテンツに係わるグッズや映画鑑賞券、イベントのチケットなどの購入を、統一的なインターフェースで提供する。
【００９６】
なお、この発明は前述した実施の形態に限定されるものではなく、現在または将来の実施段階では、その時点で利用可能な技術に基づき、その要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００９７】
【図１】この発明の一実施の形態に係る記録再生装置（電子番組表を用いた情報表示装置）の構成を説明する図。
【図２】図１の装置の操作に用いることができるリモートコントローラの一例を説明する図。
【図３】この発明の一実施の形態に係る方法（電子番組表を用いた情報表示方法）により得られるメインメニューの表示画面例を説明する図。
【図４】図３のメインメニューから移行できる番組表の表示例を説明する図。
【図５】図３のメインメニューから移行できる番組リストの表示例を説明する図。
【図６】図４あるいは図５の表示から移行できるソフト購入画面の表示例を説明する図。
【図７】図４あるいは図５の表示から移行できる映画鑑賞券購入画面の表示例を説明する図。
【図８】この発明の一実施の形態に係る記録再生方法が適用されるシステム構成の一例を説明する図。
【図９】図８のシステム構成の動作例（稼働手順例）を説明する図。
【図１０】図９の例において、おすすめ度処理付のデータ作成処理の具体例を説明するフローチャート図。
【図１１】図９の例において、電子番組表の表示に伴う日時連動処理の具体例を説明するフローチャート図。
【図１２】図９の例において、電子番組表の時間帯の重要度に連動した処理の具体例を説明するフローチャート図。
【図１３】図９の例において、ユーザが録画および／または視聴予約した番組時間帯の重要度に連動した処理の具体例を説明するフローチャート図。
【図１４】図９の例において、推薦度の高いコンテンツ情報を優先的に電子番組表の画面に表示する処理の具体例を説明するフローチャート図。
【図１５】図９の例において、ユーザの録画視聴傾向に連動した処理の具体例を説明するフローチャート図。
【図１６】図９の例において、番組名あるいはプログラム名に連動した処理の具体例を説明するフローチャート図。
【図１７】図９の例において、電子番組表の画面表示から所望のコンテンツあるいは商品を購入する処理の具体例を説明するフローチャート図。
【符号の説明】
【００９８】
３０…マイクロコンピュータブロック；３５…シリーズ番組予約・録画制御部；３６…ＧＵＩ画面制御部（ＥＰＧ処理部／購入処理部）；３７…情報蓄積／情報分析／データ収集／重み付け／推薦度の処理部；４１ａ，４１ｂ，４１ｃ，４１ｄ，４１ｅ…チューナ；３００１…モニタ。
【図１】
2007096605.tif 000003
【図２】
2007096605.tif 000004
【図３】
2007096605.tif 000005
【図４】
2007096605.tif 000006
【図５】
2007096605.tif 000007
【図６】
2007096605.tif 000008
【図７】
2007096605.tif 000009
【図８】
2007096605.tif 000010
【図９】
2007096605.tif 000011
【図１０】
2007096605.tif 000012
【図１１】
2007096605.tif 000013
【図１２】
2007096605.tif 000014
【図１３】
2007096605.tif 000015
【図１４】
2007096605.tif 000016
【図１５】
2007096605.tif 000017
【図１６】
2007096605.tif 000018
【図１７】
2007096605.tif 000019